(57)【特許請求の範囲】
【請求項１】
本体であって、一端にシリンダが設けられ、該本体の別端に底座が設けられた、上記本体と、
ピストンロッドであって、第１端と第２端を具え、該ピストンロッドの第１端に使用者の握持操作に供されるハンドルが設けられ、該ピストンロッドの第２端にピストンが固定され、該ピストンが本体のシリンダ内に収容されて、シリンダと縦方向の相対移動関係を発生可能とされ且つシリンダより脱出しない、上記ピストンロッドと、
空気保存手段であって、空気保存手段は本体の外縁に設置され且つ本体と少なくとも一つの気密の空間を形成し、且つ該空間内の気体圧力は充気手段内の圧力に等しい、上記空気保存手段と、
通気手段であって、該通気手段が空気保存手段と本体間に穿設され、空気保存手段を本体の外縁に限位し、且つ該通気手段がシリンダ内の気体を空気保存手段及び被充気手段内に導入する、上記通気手段と、
を具えたことを特徴とする、空気保存の空気ポンプ。
【請求項２】
前記本体の第１端の外縁に雄ネジが設けられて、底座が設けられ、該底座の両端に使用者が踏むための踏み板が設けられ、本体の第２端に接近する部分に横向きに一つの穿孔が設けられ、且つ本体の外縁の穿孔を挟んだ上下にそれぞれ限位部が設けられ、該限位部がＯリングの収容並びに限位に供されることを特徴とする、請求項１に記載の空気保存の空気ポンプ。
【請求項３】
前記空気ポンプにおいて、内縁面に雌ネジを具えた上蓋が、本体の第１端の雄ネジに螺合され、ピストンロッドのピストンを具えた第２端が該上蓋を貫通してシリンダ内部に進入し、ピストンロッドを本体のシリンダ内でスライドさせる時に上蓋より脱出させず、且つ上蓋の両端にそれぞれ係止部が設けられて、該係止部が係止挟持の機能を具えたことを特徴とする、請求項１に記載の空気保存の空気ポンプ。
【請求項４】
前記空気保存手段の中央を一つの収容空間が貫通し、該空気保存手段の上部に環状に一つのストッパ部が設けられ、該空気保存手段の外縁の適当な部分に横向きに一つの穿孔が設けられ、該空気保存手段が本体の外縁に套設されて同軸心に設置され、並びに本体の二つの限位部の係止限位を受けて空気保存手段の収容空間が気密状態を呈することを特徴とする、請求項１に記載の空気保存の空気ポンプ。
【請求項５】
前記通気手段に逆止め弁を具えた気道が設けられ、該通気手段の周縁の適当な位置に複数のＯリングと二つ以上の空気孔が設けられ、該空気孔が該気道に連通して気道内の気体をコネクタより排出させることを特徴とする、請求項１に記載の空気保存の空気ポンプ。
【請求項６】
前記空気保存手段の外側の所定位置に圧力計が設けられ、該圧力計が圧力値を測定するのに供されることを特徴とする、請求項１に記載の空気保存の空気ポンプ。
【発明の詳細な説明】
【０００１】
【発明の属する技術分野】
本発明は一種の空気保存の空気ポンプに係り、特に空気保存室が本体外縁に設置された設計の空気ポンプに関する。
【０００２】
【従来の技術】
市販されている周知の空気保存室を具えた空気ポンプは、周知の空気ポンプの気体保存室とシリンダが底座上に固定され、該空気保存室がシリンダの一側に位置して底座の空間を占有し、底座のもう一端だけが使用者が踏むための踏み板の設置に供され、使用者がこの周知の空気ポンプを操作する時、空気ポンプの一側だけに使用者が踏む場所が制限されるため、極めてぐらつきやすく、送気時の効率が減り、同じ大きさの底座条件下で、もし空気保存室を設けようとすれば、即ち一つの踏み板を犠牲にしなければならず、もし二つの踏み板を設けようとすれば、空気保存室を犠牲としなければならず、このため周知の空気ポンプは使用上、相当に多くの欠点を有し、改善の必要を有していた。
【０００３】
【発明が解決しようとする課題】
本発明の目的は、一種の空気保存の空気ポンプを提供することにあり、それは、その空気保存手段が本体の外縁に套設されて同軸心に設置され、並びに本体の二つの限位部のＯリングの係止限位を受けて空気保存手段の収容空間内に気密の状態が形成され、且つその通気手段が空気保存手段の穿孔及び本体の穿孔に穿設られ、これにより空気保存手段が通気手段の限位を受けて本体と相対移動を発生せず、ゆえに気体が通気手段を通りコネクタに流入する時、一部分の気体が空気保存手段内に流入し、且つ空気保存手段内の気体圧力が充気手段内の圧力に等しく、この構造により大幅に空気ポンプの体積を縮小し、ゆえに同一寸法の底座条件下で、本発明の底座両側にいずれも踏むための踏み板が設けられ且つ空気保存室が設けられ、送気作業時にその構造が安定し揺動せず、大幅に送気効率を増し、極めて産業上の利用価値を有するものとする。
【０００４】
【課題を解決するための手段】
請求項１の発明は、本体であって、一端にシリンダが設けられ、該本体の別端に底座が設けられた、上記本体と、
ピストンロッドであって、第１端と第２端を具え、該ピストンロッドの第１端に使用者の握持操作に供されるハンドルが設けられ、該ピストンロッドの第２端にピストンが固定され、該ピストンが本体のシリンダ内に収容されて、シリンダと縦方向の相対移動関係を発生可能とされ且つシリンダより脱出しない、上記ピストンロッドと、
空気保存手段であって、空気保存手段は本体の外縁に設置され且つ本体と少なくとも一つの気密の空間を形成し、且つ該空間内の気体圧力は充気手段内の圧力に等しい、上記空気保存手段と、
通気手段であって、該通気手段が空気保存手段と本体間に穿設され、空気保存手段を本体の外縁に限位し、且つ該通気手段がシリンダ内の気体を空気保存手段及び被充気手段内に導入する、上記通気手段と、
を具えたことを特徴とする、空気保存の空気ポンプとしている。
請求項２の発明は、前記本体の第１端の外縁に雄ネジが設けられて、底座が設けられ、該底座の両端に使用者が踏むための踏み板が設けられ、本体の第２端に接近する部分に横向きに一つの穿孔が設けられ、且つ本体の外縁の穿孔を挟んだ上下にそれぞれ限位部が設けられ、該限位部がＯリングの収容並びに限位に供されることを特徴とする、請求項１に記載の空気保存の空気ポンプとしている。
請求項３の発明は、前記空気ポンプにおいて、内縁面に雌ネジを具えた上蓋が、本体の第１端の雄ネジに螺合され、ピストンロッドのピストンを具えた第２端が該上蓋を貫通してシリンダ内部に進入し、ピストンロッドを本体のシリンダ内でスライドさせる時に上蓋より脱出させず、且つ上蓋の両端にそれぞれ係止部が設けられて、該係止部が係止挟持の機能を具えたことを特徴とする、請求項１に記載の空気保存の空気ポンプとしている。
請求項４の発明は、前記空気保存手段の中央を一つの収容空間が貫通し、該空気保存手段の上部に環状に一つのストッパ部が設けられ、該空気保存手段の外縁の適当な部分に横向きに一つの穿孔が設けられ、該空気保存手段が本体の外縁に套設されて同軸心に設置され、並びに本体の二つの限位部の係止限位を受けて空気保存手段の収容空間が気密状態を呈することを特徴とする、請求項１に記載の空気保存の空気ポンプとしている。
請求項５の発明は、前記通気手段に逆止め弁を具えた気道が設けられ、該通気手段の周縁の適当な位置に複数のＯリングと二つ以上の空気孔が設けられ、該空気孔が該気道に連通して気道内の気体をコネクタより排出させることを特徴とする、請求項１に記載の空気保存の空気ポンプとしている。
請求項６の発明は、前記空気保存手段の外側の所定位置に圧力計が設けられ、該圧力計が圧力値を測定するのに供されることを特徴とする、請求項１に記載の空気保存の空気ポンプとしている。
【０００５】
【発明の実施の形態】
図１から図４は本発明の一つの実施例の構造であるが、これは説明のために提示するものであり、本出願の特許請求の範囲を限定するものではない。
【０００６】
本発明の提供する空気保存の空気ポンプは、図２に示されるように、
本体１０とされ、第１端１１と第２端１２を具え、該本体１０の第１端１１に縦向きにシリンダ１３が設けられ、該本体１０の第１端１１の外縁に雄ネジ１４が設けられ、該本体１０の第２端１２に底座が設けられ、該底座の両側に使用者が踏むのに供される踏み板１６が設けられ、本体１０の第２端１２に接近する部分に横向きに穿孔１７が設けられ、且つ本体１０の外縁の穿孔１７の上下両端に、それぞれ限位部１８が設けられ、該限位部１８にＯリング１８が収容され並びに限位する、上記本体１０と、
ピストンロッド２０とされ、該ピストンロッド２０は第１端２１と第２端２２を具え、該ピストンロッド２０の第１端２１に使用者の握持操作に供されるハンドル２３が設けられ、該ピストンロッド２０の第２端２２にピストン２４が固定され、該第２端２２のピストン２４が本体１０のシリンダ１３内に収容されて、シリンダ１３と縦方向の相対移動関係を発生可能で、並びに一つのＯリング２５がピストン２４に套設され、それに良好な気密効果を得させる、上記ピストンロッド２０と、
上蓋３０とされ、該上蓋３０の内縁面に雌ネジ３１が設けられ、本体１０の第１端１１の雄ネジ１３に対応し、そのうちピストンロッド２０のピストン２４を具えた第２端２２が該上蓋３０に挿入されてシリンダ１３内部に進入し、さらに上蓋３０の雌ネジ３１が本体１０の雄ネジ１４に螺合されて、ピストン２４が本体１０のシリンダ１３内をスライドする時に上蓋３０より脱出せず、且つ該上蓋３０の両端にそれぞれ係止部３２が設けられて、該係止部３２が係止挟持の機能を具えた、上記上蓋３０と、
空気保存手段４０とされ、該空気保存手段４０の中央を収容空間４１が貫通し、該空気保存手段４０の上部に環状にストッパ部４２が設けられ、該空気保存手段４０の外縁の適当な部分に横向きに一つの穿孔４３が設けられ、該空気保存手段４０が本体１０の外縁に套設されて同軸心に設置され、並びに本体１０の二つの限位部１８の係止限位置を受けて空気保存手段４０の収容空間４１が気密状態を呈する、上記空気保存手段４０と、
通気手段５０とされ、該通気手段５０内に逆止め弁５２を具えた気道５１が設けられ、該通気手段５０の周縁の適当な部分に複数のＯリング５３と二つ以上の空気孔５４、５５が設けられ、該空気孔５４、５５が気道５１に連通し、該通気手段５０の一端にストッパ部５６が設けられ、該通気手段５０のもう一端にネジ部５７が設けられ、該通気手段５０が空気保存手段４０の穿孔４３及び本体１０の穿孔１７を貫通し、これにより空気保存手段４０が通気手段５０の限位を受けて本体１０と相対移動発生不能とされ、並びにコネクタ５８が該通気手段５０の一端のネジ部５７に螺合され、これにより気道５１内の気体がコントロールセンター４０より排出可能とされた、上記通気手段５０と、
を具えている。
【０００７】
図３に示されるように、該空気保存手段４０は本体１０の外縁に套設されて同軸心に設置され、並びに本体１０の二つの限位部１８のＯリング１９の係止限位を受けて該空気保存手段４０の収容空間４１内に気密の状態が形成され、且つ該通気手段５０が空気保存手段４０の穿孔４３及び本体１０の穿孔１７を貫通し、空気保存手段４０が通気手段５０の限位を受けて本体１０と相対移動発生不能とされる。図４は本発明の実際の使用状態を示す。使用者がピストンロッド２０を操作して本体１０のシリンダ１３内を往復して縦向きに動作させる時、圧縮空気が穿孔１７よりシリンダ１３に排出され、通気手段５０の二つのＯリング５３が本体１０の穿孔１７内に圧接して気密とし、気体が僅かに通気手段５０の空気孔５４より気道５１内に流入し、且つこの比較的大きな圧力の気体が気道５１内の逆止め弁５２を押し開き、気体がコネクタ５８内に流入し、且つ一部分の気体が空気孔５５より空気保存手段４０の収容空間４１内に流入し、空気保存手段４０内の気体圧力が充気手段内の圧力と等しい。本発明は周知の底座の一側に設けられていた空気保存筒を本体の外縁に設けることにより、同一寸法の底座条件下で、本発明の底座両側にそれぞれ踏むための踏み板が設けられ、送気作業時に、本体の構造が安定し、ゆえに、極めて進歩性を有する発明であるといえる。
【０００８】
ここで強調するのは、一般市場で販売されている空気ポンプの種類は各種あり、且つ多くの消費者はどれを選択してよいか分からない。台湾は自転車及びその部品生産の主要な国家の一つであり、且つその国内で生産される空気ポンプの製造業の動向は輸出がメインである。近年、アジア市場の人件費低廉な地区の衝撃を受けて、台湾国内の空気ポンプのメーカーは、構造が簡単で、組立が迅速で且つ製造コストが安いことを特色としてそれに対抗している。本発明の空気ポンプは、空気保存の空気ポンプであり、それは構造が簡易で且つ構造の組立及び操作上、迅速であるほか、製造コストが低い特色を有しており、産業上の利用性を有している。
【０００９】
【発明の効果】
以上の説明から分かるように、本発明の空気保存の空気ポンプは、確実に伝統的な構造よりも増進された機能を有し、且つ本発明は確実に相当な産業上の利用価値を有する設計とされ、その優れた点は以下のようである。
１．本発明の空気保存の空気ポンプは、その空気保存手段が本体の外縁に套設されて同軸心設置され、並びに本体の二つの限位部のＯリングの係止限位を受けて空気保存手段の収容空間内に気密の状態が形成され、且つ通気手段が空気保存手段の穿孔及び本体の穿孔を貫通し、空気保存手段が通気手段の限位を受けて本体と相対移動を発生せず、ゆえに気体が通気手段を通りコネクタに流入する時、一部の気体が空気保存手段内に流入し、且つ空気保存手段内の気体圧力が充気手段内の圧力と等しく、この構造により大幅に空気ポンプの体積を減らすことができ、極めて産業上の利用価値を有する設計とされている。
２．本発明の空気保存の空気ポンプは、周知の、底座の一側に設置された空気保存筒を本体の外縁に設けて同軸心設置とし、ゆえに同一寸法の底座条件下で、本発明の底座両側それぞれに踏むための踏み板が設けられ且つ空気保存室を具え、送気作業時に、その構造が安定しぐらつかず、大幅に送気効率を高め、極めて進歩性を有している。
【００１０】
総合すると、本発明は産業上の利用価値と進歩性を有し、且つ本発明はその出願前に出版されたいかなる刊行物にもその記載がなく、有限な空間内で相当の効果を発生し、確実にその特許性を有している。なお、以上の説明は本発明の好ましい実施例に係るものであり、本発明の実施範囲を限定するものではなく、本発明に基づきなしうる均等な修飾或いは改変は、いずれも本発明の請求範囲に属するものとする。
【図面の簡単な説明】
【図１】本発明の斜視図である。
【図２】本発明の分解斜視図である。
【図３】図１のＡ−Ａ断面図である。
【図４】本発明の実際の使用状態表示図である。
【符号の説明】
１０  本体              １１  第１端
１２  第２端            １３  シリンダ
１４  雄ネジ
１６  踏み板            １７  穿孔
１８  限位部            １９  Ｏリング
２０  ピストンロッド    ２１  第１端
２２  第２端            ２３  ハンドル
２４  ピストン          ２５  Ｏリング
３０  上蓋              ３１  雌ネジ
３２  係止部            ４０  空気保存手段
４１  収容空間          ４２  ストッパ部
４３  穿孔              ５０  通気手段
５１  気道              ５２  逆止め弁
５３  Ｏリング          ５４  空気孔
５５  空気孔            ５６  ストッパ部
５７  ネジ部            ５８  コネクタ
【図１】
0003764859.tif 000002
【図２】
0003764859.tif 000003
【図３】
0003764859.tif 000004
【図４】
0003764859.tif 000005